(57)【要約】【課題】ユーザからの再生モードの選択操作に対する応答性を向上する。【解決手段】データ再生装置１は、ミニディスク２に記録されたコンテンツデータのうち連続する所定量のデータを有効データとして読み出す読出部３と、読み出した有効データを記憶する有効データメモリ４と、有効データメモリ４に記憶されたコンテンツデータを再生する再生処理部５と、有効データメモリ４に常に所定量の有効データが確保されるように読出部３を制御するとともに指定された再生モードにて有効データメモリ４からデータが再生されるように再生処理部５を制御する制御部６とを備え、制御部６は、現在再生されている再生位置の前後に少なくとも同量のデータを有効データメモリ４上に確保し、指定された再生モードが早送り再生の場合、有効データ記憶手段に記憶された有効データから順方向の間引き再生を行い、指定された再生モードが巻き戻し再生の場合、有効データ記憶手段に記憶された有効データから逆方向の間引き再生を行う。【選択図】図１
2005196880.tif 000002
【特許請求の範囲】
【請求項１】
記録媒体に記録されたコンテンツデータのうち連続する所定量のデータを有効データとして読み出す読出手段と、
上記有効データを記憶する有効データ記憶手段と、
上記有効データ記憶手段に記憶されたデータを再生する再生手段と、
上記有効データ記憶手段に常に所定量の有効データが確保されるように上記読出手段を制御するとともに、指定された再生モードにて上記有効データ記憶手段からデータが再生されるように上記再生手段を制御する再生制御手段と
を備えることを特徴とするデータ再生装置。
【請求項２】
上記再生制御手段は、現在再生されている再生位置の前後に少なくとも同量のデータを確保することを特徴とする請求項１記載のデータ再生装置。
【請求項３】
上記再生制御手段は、指定された再生モードが早送り再生の場合、上記有効データ記憶手段に記憶された有効データから順方向の間引き再生を行うことを特徴とする請求項１記載のデータ再生装置。
【請求項４】
上記再生制御手段は、指定された再生モードが巻き戻し再生の場合、
上記有効データ記憶手段に記憶された有効データから逆方向の間引き再生を行うことを特徴とする請求項１記載のデータ再生装置。
【請求項５】
上記再生制御手段は、再生を指定されたコンテンツデータの先頭が上記有効データに含まれない場合、上記有効データ記憶手段に記憶された有効データを削除し、指定されたコンテンツデータの先頭を含む所定量のデータを新たな有効データとして読み出すよう読出手段を制御することを特徴とする請求項１記載のデータ再生装置。
【請求項６】
上記記録媒体は、通常の記録領域と、認証によって使用可能となる秘匿領域とを有することを特徴とする請求項１記載のデータ再生装置。
【請求項７】
記録媒体に記録されたコンテンツデータのうち連続する所定量のデータを有効データとして読み出す読出工程と、
上記有効データを有効データ記憶手段に記憶する記憶工程と、
上記有効データ記憶手段に記憶されたデータを再生する再生工程とを有し、
上記読出工程では、上記有効データ記憶手段に常に所定量の有効データが確保されるようにデータ読出しを制御するとともに、上記再生工程では、指定された再生モードにて上記有効データ記憶手段からデータが再生されるように再生を制御することを特徴とするデータ再生装置。
【請求項８】
上記読出工程では、現在再生されている再生位置の前後に少なくとも同量のデータが確保されることを特徴とする請求項７記載のデータ再生方法。
【請求項９】
上記再生工程では、指定された再生モードが早送り再生の場合、上記有効データ記憶手段に記憶された有効データから順方向の間引き再生を行うことを特徴とする請求項７記載のデータ再生方法。
【請求項１０】
上記再生工程では、指定された再生モードが巻き戻し再生の場合、上記有効データ記憶手段に記憶された有効データから逆方向の間引き再生を行うことを特徴とする請求項７記載のデータ再生方法。
【請求項１１】
再生を指定されたコンテンツデータの先頭が上記有効データに含まれない場合、上記有効データ記憶手段に記憶された有効データを削除し、指定されたコンテンツデータの先頭を含む所定量のデータを新たな有効データとして読み出す工程を有することを特徴とする請求項７記載のデータ再生方法。
【請求項１２】
上記記録媒体は、通常の記録領域と、認証によって使用可能となる秘匿領域とを有することを特徴とする請求項７記載のデータ再生方法。
【発明の詳細な説明】
【技術分野】
【０００１】
本発明は、データ再生装置及びデータ再生方法に関し、特に、大容量記録媒体に対して高い編集特性を備えたデータ再生装置及びデータ再生方法に関する。
【背景技術】
【０００２】
近年、ディスク等の記録媒体は、大容量化のための技術が各種開発されている。また、１つのメディアについて多様なデータ、例えば、オーディオデータ、コンピュータ用途のデータ等を自在に記録再生できるようにすることも求められている。しかし、汎用的なメディアの開発に関しては、旧来の記録再生装置等の互換性、整合性も重要とされる。また、物理的にみても、旧来の資産を有効利用できることが好ましい。
【０００３】
現在広く普及しているミニディスク（Mini Disc；ＭＤ（登録商標））を例にあげる。ミニディスクは、公知のとおり、直径６４ｍｍの光磁気ディスクであって、音楽等のオーディオデータを記録再生できる。ミニディスクでは、オーディオデータは、ＡＴＲＡＣ方式によってデータ量が１／５〜１／１０に圧縮されて記録される。オーディオデータを例にとると、８０〜１６０分程度の記録が可能となっている。また、ミニディスクは、記録データに対して、分割（ディバイド）、連結（コンバイン）、消去（イレーズ）、移動（トラックナンバムーブ）等、編集性を考慮したファイルシステムになっている。
【０００４】
ＣＤ−ＤＡ（Compact Disc Digital Audio）、ＤＶＤ（Digital Versatile Disc）等のパッケージメディアに記録された音楽、映像等のコンテンツデータをパーソナルコンピュータ（ＰＣ）にて再生し、ＰＣのＨＤＤ（Hard Disc Drive）を１次記録媒体として、２次記録媒体であるミニディスクに複製（コピー）又は移動（ムーブ）する技術が開示されている（例えば、特許文献１参照。）。
【０００５】
特許文献１では、ＰＣと端末間におけるデータ転送時に転送用データを暗号化し、更にコンテンツデータ（トラックとも呼ばれる楽曲等の単位となるデータ）を編集してもコンテンツの権利管理を行うこと、及びＳＤＭＩ（Secure Digital Music Initiative）方式におけるいわゆるチェックイン（権利譲渡）／チェックアウト（権利返却）の整合性をとることを実現している。
【０００６】
オーディオ用のミニディスクは、ユーザが容易に入手可能であることから、このミニディスクをコンピュータ用のデータストレージメディア等、音楽用途以外に幅広く利用できるようになると都合がよいのであるが記録容量が１６０ＭＢ程度と小さいうえ、メディア固有のＩＤ等の著作権保護情報を記録する領域が用意されていない。そのため、広範囲なデータストレージとして音楽映像配信等に利用することを想定した場合、配信したコンテンツの著作権保護等の要請に対応できないといった問題点がある。また、オーディオデータ記録領域以外の固有の管理領域による管理方式（ＰＴＯＣ（Premastered Table Of Contents）、ＵＴＯＣ（User Table Of Contents））を採用しているため、例えば、ＦＡＴシステム等の汎用のファイルシステム用途への対応が困難である。更に、ＵＴＯＣ管理下のトラックにオーディオ以外のデータを記録した場合、多くのオーディオ機器（ＭＤプレーヤ）で再生時に異音が発生する等の不具合が生じてしまう。つまり、オーディオ用ミニディスクを汎用的なストレージメディアとして利用することを想定した場合、記録容量、管理システム、著作権保護関係等の特殊情報、旧来機種での不具合等が問題になっていた。
【０００７】
ミニディスクシステムにおいてオーディオデータ以外のデータ記録を目的とした規格として、“ＭＤ−ＤＡＴＡ”、又は“ＭＤ−ＣＬＩＰ”と呼ばれるディスク規格が既に開発されているがＭＤ−ＤＡＴＡは、オーディオ用ＭＤとは異なる専用ディスクである点、また、ＭＤ−ＤＡＴＡ対応の専用の記録再生装置でないと利用できない点、記録容量が１４０ＭＢ程度である点等、上記要望を満たすものではない。また、ＭＤ−ＣＬＩＰは、オーディオ用ＭＤが使用でき、またＵＴＯＣ管理対象外であった内周部分を利用することから、従来のオーディオ機器において不都合はないが汎用データ記録領域が２ＭＢ程度しかないために自ずと用途が限定されてしまっていた。
【０００８】
そこで、トラックピッチを狭くし、線速度及び変調方式を変更する等の改良を加えることで記録データの高密度化を実現し、更に、通常の記録領域と認証によって使用可能となる秘匿領域（セキュア領域）とを設けることによって、上述の不具合を解決した次世代ミニディスクが提案されている。これら次世代ミニディスクは、ＵＴＯＣとは異なる新たな管理データ構成を採用し、ディスク記録時には平文にて記録されていた従来ミニディスクと異なり、データは暗号化されてディスク上に記録されるようになっている。また、次世代ミニディスクでは、著作権が発生する音楽コンテンツ、映像コンテンツ等のデータは、所定フォーマットでセキュア領域に記録され、セキュア領域を参照可能な装置によってのみ再生できるようになっている。
【０００９】
従来、データ再生装置では、早送り再生、巻き戻し再生等を行うとき、通常再生と異なる手法にてメモリ上に映像データ又は音楽データを展開していた。例えば、早送り再生では、通常再生されるコンテンツデータから間引きした早送り再生用データをメモリ上に作成し再生していた。このため、早送り再生用データ又は巻き戻し再生用データを作成する処理により、通常再生、早送り再生、巻き戻し再生等といった再生モードの切り替えにタイムロスが生じるという問題点があった。また、曲送り等の場合でも、曲送り先の映像データ又は音楽データがメモリに展開されていたとしても、曲送り先のコンテンツデータを再度読み出した後に再生を開始するため、曲送りによって開始指定されたコンテンツデータの再生までにやはり時間が掛かるという問題があった。
【００１０】
【特許文献１】特開２００２−３７３４７０号公報
【発明の開示】
【発明が解決しようとする課題】
【００１１】
そこで、本発明は、ユーザからの再生モードの選択操作に対する応答性を向上することを可能とするデータ再生装置及びデータ再生方法を提供することを目的とする。
【課題を解決するための手段】
【００１２】
上述した課題を解決するために、本発明に係るデータ再生装置は、記録媒体に記録されたコンテンツデータのうち連続する所定量のデータを有効データとして読み出す読出手段と、有効データを記憶する有効データ記憶手段と、有効データ記憶手段に記憶されたデータを再生する再生手段と、有効データ記憶手段に常に所定量の有効データが確保されるように読出手段を制御するとともに、指定された再生モードにて有効データ記憶手段からデータが再生されるように再生手段を制御する再生制御手段とを備え、有効データ記憶手段に常に所定量の有効データが確保されるようにデータを読出し、指定された再生モードにて有効データ記憶手段からデータを再生する。
【００１３】
再生制御手段は、現在再生されている再生位置の前後に少なくとも同量のデータを確保し、指定された再生モードが早送り再生の場合、有効データ記憶手段に記憶された有効データから順方向の間引き再生を行い、指定された再生モードが巻き戻し再生の場合、有効データ記憶手段に記憶された有効データから逆方向の間引き再生を行う。
【００１４】
また、再生制御手段は、再生を指定されたコンテンツデータの先頭が有効データに含まれない場合、有効データ記憶手段に記憶された有効データを削除し、指定されたコンテンツデータの先頭を含む所定量のデータを新たな有効データとして読み出すよう読出手段を制御する。
【００１５】
また、上述した目的を達成するために、本発明に係るデータ再生方法は、記録媒体に記録されたコンテンツデータのうち連続する所定量のデータを有効データとして読み出す読出工程と、有効データを有効データ記憶手段に記憶する記憶工程と、有効データ記憶手段に記憶されたデータを再生する再生工程とを有し、読出工程では、有効データ記憶手段に常に所定量の有効データが確保されるようにデータ読出しを制御するとともに、再生工程では、指定された再生モードにて有効データ記憶手段からデータが再生されるように再生を制御する。
【００１６】
読出工程では、現在再生されている再生位置の前後に少なくとも同量のデータが確保され、指定された再生モードが早送り再生の場合、有効データ記憶手段に記憶された有効データから順方向の間引き再生を行い、指定された再生モードが巻き戻し再生の場合、有効データ記憶手段に記憶された有効データから逆方向の間引き再生を行う。
【００１７】
更に、再生を指定されたコンテンツデータの先頭が有効データに含まれない場合、有効データ記憶手段に記憶された有効データを削除し、指定されたコンテンツデータの先頭を含む所定量のデータを新たな有効データとして読み出す工程を有する。
【００１８】
本発明では、通常の記録領域と、認証によって使用可能となる秘匿領域とを有する記録媒体を使用することが好ましい。
【発明の効果】
【００１９】
本発明に係るデータ再生装置及びデータ再生方法によれば、ユーザからの再生モードの選択操作に対する応答性を向上することができる。
【発明を実施するための最良の形態】
【００２０】
本発明に係るデータ再生装置は、例えば、オーディオデータ、ＰＣデータ等のように異なるフォーマットで作成された異なるデータを扱うことができる記録媒体の再生装置である。記録媒体は、大容量記録が可能であることを特徴とした記録媒体であれば、半導体メモリ、ディスク状記録媒体等制限なく使用できるが、本具体例ではディスク状の光磁気記録媒体であるミニディスク（登録商標）を用いる。特に、本具体例として示すデータ再生装置は、従来のミニディスクのほか、トラックピッチを狭くし線速度及び変調方式を変更する等の改良を加えることで記録データの高密度化を実現し、更に、通常の記録領域と認証によって使用可能となる秘匿領域（セキュア領域）とを設けた次世代ミニディスクにも対応している。
【００２１】
この次世代ミニディスクは、ディスク記録時には平文にて記録されていた従来ミニディスクと異なり、データは暗号化されてディスク上に記録される。また、このミニディスクでは、著作権が発生する音楽コンテンツ、映像コンテンツ等のデータは、所定フォーマットで秘匿領域に記録され、この秘匿領域を参照可能な装置によってのみ再生できるようになっている。本具体例では、コンテンツとして音楽コンテンツを取り上げ、ＡＴＲＡＣ（登録商標）形式のオーディオデータがこの秘匿領域に記録可能な特定データとして扱われるものとする。ＭＰ３（MPEG1 Audio Layer-3）形式、ＷＭＡ（Windows Media Audio）形式等、ＡＴＲＡＣ以外のオーディオデータ、画像データ、テキストデータ等のデータは、通常記録領域に記録される。秘匿領域と通常記録領域とを有する次世代ミニディスクの詳細については後述する。
【００２２】
本発明に係るデータ再生装置１の概略を図１に示す。データ再生装置１は、ミニディスク２に記録されたコンテンツデータのうち連続する所定量のデータを有効データとして読み出す読出部３と、読み出した有効データを記憶する有効データメモリ４と、有効データメモリ４に記憶されたコンテンツデータを再生する再生処理部５と、有効データメモリ４に常に所定量の有効データが確保されるように読出部３を制御するとともに、指定された再生モードにて有効データメモリ４からデータが再生されるように再生処理部５を制御する制御部６とを備える。
【００２３】
読出部３は、制御部６に制御されて、現在再生されている再生位置の前後に少なくとも同量のデータを有効データメモリ４に確保するようにコンテンツデータを読み出す。
【００２４】
有効データメモリ４についての詳細は後述するが、例えば、音楽コンテンツであれば、数曲分のデータを蓄えることのできるリングバッファであって、現在再生されている再生位置の前後に少なくとも同量のデータを確保できるようになっている。この有効データメモリ４では、順方向の再生であれば、コンテンツデータが再生順になるように現在の再生箇所よりも時系列的に先のデータが次々に追加され、現在の再生箇所よりも過去（再生終了後）のデータは次々に削除されていく。
【００２５】
制御部６は、現在再生されている再生位置の前後に少なくとも同量のデータを有効データメモリ４上に確保し、指定された再生モードが早送り再生の場合、有効データ記憶手段に記憶された有効データから順方向の間引き再生を行い、指定された再生モードが巻き戻し再生の場合、有効データ記憶手段に記憶された有効データから逆方向の間引き再生を行う。また、制御部６は、再生を指定されたコンテンツデータの先頭が有効データに含まれない場合、有効データ記憶手段に記憶された有効データを削除し、指定されたコンテンツデータの先頭を含む所定量のデータを新たな有効データとして読み出すよう読出手段を制御する。
【００２６】
上述したデータ再生装置１におけるデータ再生処理について、図面を用いて説明する。以下では、基本的な再生モードとして、通常スピードによる通常再生と、順方向に早送り再生する順方向早送り再生（以下、ＣＵＥモードと記す。）と、逆方向に早送り再生する逆方向早送り再生（以下、ＲＥＶモードと記す。）とがある。また、ユーザによって指定された再生開始箇所又は再生曲先頭から再生する選択再生モードも用意されている。
【００２７】
図２乃至図６に示す有効データは、図１に示す読出部３によって読み出され、有効データメモリ４に格納することのできるデータ量を示している。すなわち、トラック（ＴＲＫ）１の前データの一部、ＴＲＫ１、ＴＲＫ２、ＴＲＫ３、ＴＲＫ４、及びＴＲＫ４の次データの一部が格納されている。図２には、通常の再生が模式的に示されている。図２ではＴＲＫ３の途中が現在再生されている位置である。通常再生では、図２に示すように、順方向の再生に対して、順方向の同量のコンテンツデータがミニディスク２より読み出される。
【００２８】
図３に示すように、ユーザによって指定された再生モードがＣＵＥモードの場合、有効データメモリ４に記憶された有効データから順方向の間引き再生を行うとともに、読出部３によって順方向の同量のコンテンツデータがミニディスク２から読み出される。また、図４に示すようにユーザによって指定された再生モードがＲＥＶモードの場合、有効データメモリ４に記憶された有効データから逆方向の間引き再生を行うとともに、読出部３によって逆方向の同量のコンテンツデータがミニディスク２から読み出される。
【００２９】
また、指定された音楽コンテンツを選択する曲送り再生において、送り先が有効データの範囲内の場合、すなわち有効データメモリ４に送り先のコンテンツデータの先頭データが含まれる場合、図５に示すように、現在再生位置から送り先の曲先頭から再生することにより即時に曲送り再生を行うことができる。例えば、図６に示すように、選択されたコンテンツを繰り返し再生する繰り返し再生モードのような場合、繰り返し再生が指定されたコンテンツが有効データメモリ４に含まれていれば、ミニディスク２にアクセスすることなく再生可能である。
【００３０】
次に、本具体例のデータ再生装置１が再生モードを切り換える処理について、図７乃至図９を用いて説明する。データ再生装置１は、音楽データの再生指示が与えられると、ステップＳ１であるコンテンツデータの順方向の溜め込み処理（図２）を開始する。続いてステップＳ２として、データ再生装置１は、順方向の有効データが音だし閾値を超えたか否か判別する。ここで音だし閾値とは、再生処理部５において再生処理を開始してもよい有効データメモリ４の記憶容量を示す。有効データメモリ４に記憶されたコンテンツデータが音だし閾値を超えた場合、ステップＳ３に進み、順方向の通常の再生が開始される。
【００３１】
通常再生中にユーザから再生モードの変更を受け付けると、ステップＳ４にてこれを判別し、ステップＳ５で巻き戻し再生であると判別されれば図８に示す処理に移行し、ステップＳ６にて早送り再生であると判別されれば図９に示す処理に移行する。また、ステップＳ７にて通常再生であると判断される場合には、ステップＳ１からの通常再生処理を繰り返す。
【００３２】
図８に示す巻き戻し再生処理では、データ再生装置１は、ステップＳ２１として逆方向の溜め込み処理を行い、ステップＳ２２として、逆方向の有効データが音だし閾値を超えたか否か判別する。有効データメモリ４に記憶されたコンテンツデータが音だし閾値を超えた場合、ステップＳ２３に進み、逆方向の間引き再生が開始される。すなわち逆方向早送り再生（ＲＥＶモード）である（図４）。再生モードが変更された場合、ステップＳ２４にてこれを判別し、図７に示すステップＳ５に続く再生モード判別処理に戻る。
【００３３】
図９に示す早送り再生処理では、データ再生装置１は、ステップＳ３１として順方向の溜め込み処理を行い、ステップＳ３２として、逆方向の有効データが音だし閾値を超えたか否か判別する。有効データメモリ４に記憶されたコンテンツデータが音だし閾値を超えた場合、ステップＳ３３に進み、順方向の間引き再生が開始される。すなわち順方向早送り再生（ＣＵＥモード）である（図３）。再生モードが変更された場合、ステップＳ３４にてこれを判別し、図７に示すステップＳ５に続く再生モード判別処理に戻る。
【００３４】
一方、ステップＳ７及びステップＳ８にて曲送り再生であると判断される場合には、ステップＳ９にて、再生開始位置を有効データメモリ４上に再生選択された曲の先頭に設定して選択された曲の再生を開始する（図５）。ここで、選択された曲の曲先頭のデータが有効データメモリ４上にない場合には、有効データメモリ４を全てクリアし、選択された曲先頭データを含むデータをステップＳ１の順方向溜め込み処理にて有効データメモリ４上に展開する。
【００３５】
また、ステップＳ８及びステップＳ１０にて音楽ファイルの最終曲の再生が完了した場合又は繰り返し再生が指定されている場合には、ステップＳ１１として、再生開始位置を有効データメモリ４上の再生選択された曲の先頭に設定して選択された曲の再生を開始する（図５）。ここで、開始曲の曲先頭のデータが有効データメモリ４上にない場合には、有効データメモリ４を全てクリアし、開始曲の先頭データを含むデータをステップＳ１の順方向溜め込み処理にて有効データメモリ４上に展開する。
【００３６】
このように、データ再生装置１によれば、現在再生されている再生位置の前後に少なくとも同量のデータを有効データメモリ４に確保することにより、ユーザの操作に対する再生モードの変更を迅速化することができ、ユーザの操作に対する応答性を向上することができる。また、上述した再生方法では、ディスクからの読込動作回数を減らすことができるため、読込動作にかかる消費電力を削減することもできる。
【００３７】
以下、本発明の具体例として示すデータ再生装置について、図面を参照して詳細に説明する。本具体例にて適用するミニディスクにおいて秘匿領域に記録されるデータは、オーディオファイルであって、ここでは、ＡＴＲＡＣ（Adaptive TRansform Acoustic Coding）方式、ＡＴＲＡＣ３方式、ＡＴＲＡＣ３ｐｌｕｓ方式に基づくデータである。データ再生装置１は、図１０に示すように、メディアドライブ部１１と、メモリ転送コントローラ１２と、クラスタバッファメモリ１３と、補助メモリ１４と、ＵＳＢインタフェース１５、１６と、ＵＳＢハブ１７と、システムコントローラ１８と、音声データ処理部１９とを備えている。データ再生装置１は、パーソナルコンピュータ（以下、ＰＣと記す。）１００と接続でき、ミニディスクをオーディオデータ記録メディアとして使用できるほか、ＰＣ等の外部ストレージとしても使用できる。
【００３８】
データ再生装置１におけるメディアドライブ部１１は、装填されたミニディスク９０に対する記録及び／又は再生を行う。メディアドライブ部１１の内部構成は、後段にて説明する。
【００３９】
メモリ転送コントローラ１２は、メディアドライブ部１１からの再生データ又はメディアドライブ部１１に供給する記録データの送受制御を行う。クラスタバッファメモリ１３は、メディアドライブ部１１によってミニディスク９０のデータトラックから高密度データクラスタ単位で読み出されたデータをメモリ転送コントローラ１２の制御に基づいてバッファリングする。補助メモリ１４は、メディアドライブ部１１によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１２の制御に基づいて記憶する。また、図１に示す有効データメモリ４として働く。
【００４０】
システムコントローラ１８は、ＵＳＢインタフェース１６、ＵＳＢハブ１７を介して接続されたＰＣ１００との間で通信可能であり、このＰＣ１００との間の通信制御を行って、書込要求、読出要求等のコマンドの受信、ステイタス情報、その他の必要情報の送信等を行うとともにデータ再生装置１全体を統括制御している。システムコントローラ１８は、例えば、ミニディスク９０がメディアドライブ部１１に装填されると、ミニディスク９０から管理情報等を読み出すようメディアドライブ部１１に指示し、メモリ転送コントローラ１２によって読み出されたＰＴＯＣ、ＵＴＯＣ等の管理情報等を補助メモリ１４に格納させる。システムコントローラ１８は、これらの管理情報を読み込むことによってミニディスク９０のトラック記録状態を把握している。
【００４１】
そして、システムコントローラ１８は、ＰＣ１００からあるＦＡＴセクタの読出要求があった場合、メディアドライブ部１１に対して、このＦＡＴセクタを含むデータクラスタの読出を実行する旨の信号を与える。読み出されたデータクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。このとき、システムコントローラ１８は、クラスタバッファメモリ１３に書き込まれている高密度データクラスタのデータから、要求されたＦＡＴセクタのデータを読み出す信号を与え、ＵＳＢインタフェース１５、ＵＳＢハブ１７を介して、ＰＣ１００に送信する、又はオーディオ再生処理するための制御を行う。
【００４２】
また、システムコントローラ１８は、ＰＣ１００から、あるＦＡＴセクタへの書込要求があった場合、メディアドライブ部１１に対して、補助メモリ１４に基づいてこのＦＡＴセクタを含むデータクラスタの読出を実行させる。読み出されたデータクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。システムコントローラ１８は、ＰＣ１００から送信されたＦＡＴセクタのデータ（記録データ）をＵＳＢインタフェース１５を介してメモリ転送コントローラ１２に供給し、クラスタバッファメモリ１３上で該当するＦＡＴセクタのデータの書き換えを実行させる。
【００４３】
更にシステムコントローラ１８は、メモリ転送コントローラ１２に指示して、必要なＦＡＴセクタが書き換えられた状態でクラスタバッファメモリ１３に記憶されているデータクラスタのデータを記録データとしてメディアドライブ部１１に転送させる。このとき、メディアドライブ部１１は、装着されているミニディスクが対応している変調方式でデータクラスタの記録データを変調して書き込む。
【００４４】
ところで本具体例のように、ミニディスク９０が秘匿領域と通常記録領域とを有し、各領域に記録されるデータが予め決められている場合には、システムコントローラ１８は、記録再生するデータがオーディオトラックかデータトラックかに応じて指定された記録領域に基づいたアクセスをメディアドライブ部に指示することになる。データ再生装置１では、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【００４５】
なお、本具体例として示すデータ再生装置１において、上述した記録再生制御は、データトラックを記録再生する際の制御であり、ＭＤオーディオデータ（オーディオトラック）を記録再生する際のデータ転送は、音声データ処理部１９を介して行われる。
【００４６】
音声データ処理部１９は、入力系として、例えば、ライン入力回路／マイクロフォン入力回路等のアナログ音声信号入力部、Ａ／Ｄ変換器、及びデジタルオーディオデータ入力部を備える。また、音声データ処理部１９は、ＡＴＲＡＣ圧縮エンコーダ／デコーダ、圧縮データのバッファメモリを備える。更に、音声データ処理部１９は、出力系として、デジタルオーディオデータ出力部、Ｄ／Ａ変換器及びライン出力回路／ヘッドホン出力回路等のアナログ音声信号出力部を備えている。
【００４７】
ミニディスク９０に対してオーディオトラックが記録されるのは、音声データ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。メディアドライブ部１１では、転送された圧縮データをＥＦＭ変調方式又はＲＬＬ（１−７）ＰＰ変調方式で変調してミニディスク９０の秘匿領域にオーディオトラックとして書き込む。ＡＴＲＡＣ以外の圧縮方式で圧縮されたデータは、通常記録領域に一般データとして書き込まれる。
【００４８】
メディアドライブ部１１は、ミニディスク９０からオーディオトラックを再生する場合、再生データをＡＴＲＡＣ圧縮データ状態に復調して音声データ処理部１９に転送する。音声データ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００４９】
なお、図１０に示す構成は一例であって、例えば、データ再生装置１をＰＣ１００に接続してデータトラックのみ記録再生する外部ストレージ機器として使用する場合、音声データ処理部１９は不要になる。一方、オーディオ信号を記録再生することを主たる目的とする場合、音声データ処理部１９を備え、更にユーザインタフェースとして操作部及び表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インタフェースのほか、汎用の接続インタフェースが適用できる。
【００５０】
次に、本具体例にて用いるミニディスク９０の仕様例について説明する。従来ミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式としては、ディスク盤面上にシングルスパイラルのグルーブを形成し、このグルーブの両側に対して所定の周波数（２２．０５ＫＨｚ）で蛇行したウォブル（Wobble）を形成し、絶対アドレスを上記周波数を基準にＦＭ変調してウォブルドグルーブトラックに記録する方式を採っている。なお、本明細書では、ウォブルとして記録される絶対アドレスをＡＤＩＰ（Address in Pre-groove）ともいう。
【００５１】
従来のＭＤでは、メインデータ部である３２セクタにリンクセクタである４セクタを付加して合計３６セクタを１クラスタ単位として記録を行っている。上記ＡＤＩＰ信号はクラスタアドレス、セクタアドレスから構成される。上記クラスタアドレスは、８ビットのクラスタＨと８ビットのクラスタＬとから構成され、セクタアドレスは、４ビットのセクタから構成される。また、従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。データインタリーブには、畳み込み型を採用している。これにより、データの冗長度は、４６．３％となっている。
【００５２】
また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（単位クラスタ）は、上述のように３２個のメインセクタと４個のリンクセクタによる３６セクタで構成されている。
【００５３】
本具体例に用いるデータ再生装置１は、従来のミニディスクのほか、トラックピッチを狭くし線速度及び変調方式を変更する等の改良を加えることで記録データの高密度化を実現し、更に、通常の記録領域と認証によって使用可能となる秘匿領域（セキュア領域）とを設けた次世代ミニディスクにも対応している。次世代ミニディスクには、２つのタイプが提案されている。
【００５４】
次世代ＭＤ１は、上述した従来のミニディスクと記録媒体の物理的仕様は、同一である。そのため、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、従来のミニディスクと同様であるため、従来ディスクとの互換性が達成されている。次世代ＭＤ１は、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。以上のデータ構造において、データインタリーブは、ブロック完結型とする。これによりデータの冗長度は、２０．５０％になる。また、データの検出方式として、ＰＲ（１，２，１）ＭＬによるビタビ復号方式を用いる。
【００５５】
ディスク駆動方式には、ＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できる。これらを総合すると、次世代ＭＤ１は、記録容量を従来ミニディスクの約２倍である３００ＭＢにすることができる。
【００５６】
一方、次世代ＭＤ２は、例えば、磁壁移動検出方式（ＤＷＤＤ：Domain Wall Displacement Detection）等の高密度化記録技術を適用した記録媒体であって、上述した従来ミニディスク及び次世代ＭＤ１とは、物理フォーマットが異なっている。次世代ＭＤ２は、トラックピッチが１．２５μｍ、ビット長が０．１６μｍ／ｂｉｔであり、線方向に高密度化されている。また、従来ミニディスク及び次世代ＭＤ１との互換を採るため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も従来ミニディスク及び次世代ＭＤ１と同一規格とする。
【００５７】
但し、従来ミニディスク及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更した点が特徴的である。具体的には、グルーブの溝深さを１６０ｎｍ〜１８０ｎｍ、傾斜を６０°〜７０°、幅を６００ｎｍ〜８００ｎｍの範囲と定める。
【００５８】
また、次世代ＭＤ２は、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインタリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００５９】
ディスク駆動方式には、ＺＣＡＶ（Zone Constant Angular Velocity）方式を用い、その線速度は、２．０ｍ／ｓとする。記録再生時の標準データレートは、９．８ＭＢ／ｓである。したがって、次世代ＭＤ２では、ＤＷＤＤ方式及びこの駆動方式を採用することにより、総記録容量を１ＧＢにできる。
【００６０】
本具体例に示す次世代ＭＤ１の盤面上のエリア構造例を図１１、図１２に模式的に示す。次世代ＭＤ１は、従来ミニディスクと同じ媒体であって、ディスクの最内周側は、プリマスタードエリアとして、ＰＴＯＣ（Premastered Table Of Contents）が設けられている。ここには、ディスク管理情報が物理的な構造変形によるエンボスピットとして記録されている。プリマスタードエリアより外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアや、レーザ光の出力パワー調整等のために用いられるパワーキャリブレーションエリアが設けられている。
【００６１】
次世代ＭＤ２は、図１２に示すように、高密度化を図るためにプリピットを用いない。したがって、次世代ＭＤ２には、ＰＴＯＣ領域がない。次世代ＭＤ２には、レコーダブルエリアのさらに内周領域に、著作権保護のための情報、データ改竄チェックのための情報、他の非公開情報等を記録するユニークＩＤエリア（Unique ID；ＵＩＤ）が設けられている。このＵＩＤエリアは、次世代ＭＤ２に適用されるＤＷＤＤ方式とは異なる記録方式で記録されている。
【００６２】
なお、ここで説明した各ディスクには、音楽データ用のオーディオトラックとデータトラックとを混在記録することもできる。この場合、例えば、図１３に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。一連のオーディオトラックやデータトラックは、ディスク上で必ずしも物理的に連続して記録される必要はなく、複数のパーツに分割して記録されていてもよい。パーツとは、物理的に連続して記録される区間を示す。すなわち、ディスク上で物理的に離れた２つのＰＣデータ記録領域が存在する場合でも、データトラックの数としては１つの場合もあり、複数の場合もある。
【００６３】
続いて、データ再生装置１におけるメディアドライブ部１１及び音声データ処理部１９の周辺構成について、図１４を用いて詳細に説明する。
【００６４】
メディアドライブ部１１は、ミニディスク９０を記録再生するために、特に、記録処理系として、従来ミニディスクの記録のためのＥＦＭ変調・ＡＣＩＲＣエンコードを実行する構成と、次世代ミニディスクに対して記録するためのＲＬＬ（１−７）ＰＰ変調・ＲＳ−ＬＤＣエンコードを実行する構成とを備える点が特徴的である。また、再生処理系として、従来ミニディスクの再生のためのＥＦＭ復調・ＡＣＩＲＣデコードを実行する構成と、次世代ミニディスクの再生にＰＲ（１，２，１）ＭＬ及びビタビ復号を用いたデータ検出に基づくＲＬＬ（１−７）復調・ＲＳ−ＬＤＣデコードを実行する構成を備えている点が特徴的である。
【００６５】
メディアドライブ部１１は、装填されたミニディスク９０をスピンドルモータ２１によってＣＬＶ方式又はＺＣＡＶ方式にて回転駆動する。記録再生時には、このミニディスク９０に対して、光学ヘッド２２からレーザ光が照射される。
【００６６】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。
【００６７】
また、本具体例では、媒体表面の物理的仕様が異なる従来ミニディスク及び次世代ミニディスクに対して最大限の再生特性を得るために、両ディスクに対してデータ読取時のビットエラーレートを最適化できる位相補償板を、光学ヘッド２２の読取光光路中に設ける。
【００６８】
ミニディスク９０を挟んで光学ヘッド２２と対向する位置には、磁気ヘッド２３が配置されている。磁気ヘッド２３は、記録データによって変調された磁界をミニディスク９０に印加する。また、図示しないが光学ヘッド２２全体及び磁気ヘッド２３をディスク半径方向に移動させためのスレッドモータ及びスレッド機構が備えられている。
【００６９】
このメディアドライブ部１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、従来ミニディスクに対する記録時にＥＦＭ変調、ＡＣＩＲＣエンコードを行う部位と、次世代ＭＤ１及び次世代ＭＤ２に対する記録時にＲＬＬ（１−７）ＰＰ変調、ＲＳ−ＬＤＣエンコードを行う部位とが設けられる。
【００７０】
また、再生処理系としては、従来ミニディスクの再生時にＥＦＭ変調に対応する復調及びＡＣＩＲＣデコードを行う部位と、次世代ＭＤ１及び次世代ＭＤ２の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う部位とが設けられる。
【００７１】
光学ヘッド２２のミニディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ミニディスク９０にトラックのウォブリングにより記録されているＡＤＩＰ情報）等を抽出する。
【００７２】
従来ミニディスクの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインタリーブ処理される。オーディオデータであれば、この時点でＡＴＲＡＣ圧縮データの状態となる。このとき、セレクタ２９は、従来ミニディスク信号側が選択されており、復調されたＡＴＲＡＣ圧縮データがミニディスク９０からの再生データとしてデータバッファ３０に出力される。この場合、図１０のオーディオ処理部１９に圧縮データが供給される。
【００７３】
一方、次世代ＭＤ１又は次世代ＭＤ２の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ３６にて誤り訂正及びデインタリーブ処理される。この場合、セレクタ２９は、次世代ＭＤ１・次世代ＭＤ２側が選択され、復調されたデータがミニディスク９０からの再生データとしてデータバッファ３０に出力される。このとき、図１０のメモリ転送コントローラ１２に対して復調データが供給される。
【００７４】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に供給される。
【００７５】
ＡＤＩＰデコータ３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、従来ミニディスク及び次世代ＭＤ１の場合であれば、ＭＤアドレスデコーダ３９を介し、次世代ＭＤ２の場合であれば、次世代ＭＤ２アドレスデコーダ４０を介してドライブコントローラ４１に供給される。
【００７６】
ドライブコントローラ４１では、各ＡＤＩＰアドレスに基づいて、所定の制御処理を実行する。またグルーブ情報は、スピンドルサーボ制御のためにサーボ回路３７に戻される。
【００７７】
サーボ回路３７は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成する。
【００７８】
またサーボ回路３７は、スピンドルエラー信号や、上記のようにＲＦアンプ２４から供給されたトラッキングエラー信号、フォーカスエラー信号、或いはドライブコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【００７９】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ミニディスク９０に対するフォーカス制御、トラッキング制御、及びスピンドルモータ２１に対するＣＬＶ制御又はＺＣＡＶ制御が行われる。
【００８０】
ミニディスク９０に対して記録動作が実行される際には、図１０に示したメモリ転送コントローラ１２から高密度データ、或いはオーディオ処理部１９からの通常のＡＴＲＡＣ圧縮データが供給される。
【００８１】
従来ミニディスクに対する記録時には、セレクタ４３が従来ミニディスク側に接続され、ＡＣＩＲＣエンコーダ４４及びＥＦＭ変調部４５が機能する。この場合、オーディオ信号であれば、オーディオ処理部１９からの圧縮データは、ＡＣＩＲＣエンコーダ４４でインタリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がミニディスク９０に対してＥＦＭ変調データに基づいた磁界印加を行うことで変調されたデータが記録される。
【００８２】
次世代ＭＤ１及び次世代ＭＤ２に対する記録時には、セレクタ４３が次世代ＭＤ１・次世代ＭＤ２側に接続され、ＲＳ−ＬＣＤエンコーダ４７及びＲＬＬ（１−７）ＰＰ変調部４８が機能する。この場合、メモリ転送コントローラ１２から送られた高密度データは、ＲＳ−ＬＣＤエンコーダ４７でインタリーブ及びＲＳ−ＬＤＣ方式のエラー訂正コード付加が行われた後、ＲＬＬ（１−７）ＰＰ変調部４８にてＲＬＬ（１−７）変調される。
【００８３】
ＲＬＬ（１−７）符号列に変調された記録データは、セレクタ４３を介して磁気ヘッドドライバ４６に供給され、磁気ヘッド２３がミニディスク９０に対して変調データに基づいた磁界印加を行うことでデータが記録される。
【００８４】
レーザドライバ／ＡＰＣ４９は、上記のような再生時及び記録時においてレーザダイオードにレーザ発光動作を実行させるが、いわゆるＡＰＣ（Automatic Laser Power Control）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ４１によって、再生レーザパワー及び記録レーザパワーとしての値がレーザドライバ／ＡＰＣ４９内部のレジスタにセットされる。
【００８５】
ドライブコントローラ４１は、システムコントローラ１８からの指示に基づいて、以上の各動作（アクセス、各種サーボ、データ書込、データ読出の各動作）が実行されるように各構成を制御する。なお、図１４において一点鎖線で囲った各部は、１チップの回路として構成することもできる。
【００８６】
ところで、ミニディスク９０が図１３のように、予めデータトラック記録領域とオーディオトラック記録領域とが分割して領域設定されている場合、システムコントローラ１８は、記録再生するデータがオーディオトラックかデータトラックかに応じて、設定された記録領域に基づいたアクセスをメディアドライブ部１１のドライブコントローラ４１に指示することになる。また、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【産業上の利用可能性】
【００８７】
本発明は、大容量記録が可能であって暗号化記録等により複雑化した管理データを有するファイルフォーマットを有する記録媒体を扱うことのできるデータ記録再生装置であれば適用可能である。
【図面の簡単な説明】
【００８８】
【図１】本発明の具体例として示すデータ再生装置の概略を説明する図である。
【図２】上記データ再生装置における順方向の通常再生処理を説明する図である。
【図３】上記データ再生装置におけるＣＵＥモード時の処理を説明する図である。
【図４】上記データ再生装置におけるＲＥＶモード時の処理を説明する図である。
【図５】上記データ再生装置において現在再生位置から送り先の曲先頭から再生する処理を説明する図である。
【図６】上記データ再生装置において選択されたコンテンツを繰り返し再生する繰り返し再生モード時の処理を説明する図である。
【図７】上記データ再生装置において再生モードを切り換える処理を説明するフローチャートである。
【図８】上記データ再生装置におけるＲＥＶモード時の処理を説明するフローチャートである。
【図９】上記データ再生装置におけるＣＵＥモード時の処理を説明するフローチャートである。
【図１０】本発明の具体例として示すデータ再生装置を説明する図である。
【図１１】上記データ再生装置にて使用される次世代ＭＤ１のディスク盤面上のエリア構成を説明する模式図である。
【図１２】上記データ再生装置にて使用される次世代ＭＤ２のディスク盤面上のエリア構成を説明する模式図である。
【図１３】次世代ミニディスクにオーディオデータとＰＣ用データとを混在記録した場合の盤面上のエリア構成を説明する模式図である。
【図１４】上記データ再生装置におけるメディアドライブ部及び音声データ処理部の周辺構成を説明する図である。
【符号の説明】
【００８９】
１    データ再生装置，  １１    メディアドライブ部，  １２    メモリ転送コントローラ，  １３    クラスタバッファメモリ，  １４    補助メモリ，  １５，１６    ＵＳＢインタフェース，  １７    ＵＳＢハブ，  １８    システムコントローラ，  １９    音声データ処理部
【図１】
2005196880.tif 000003
【図２】
2005196880.tif 000004
【図３】
2005196880.tif 000005
【図４】
2005196880.tif 000006
【図５】
2005196880.tif 000007
【図６】
2005196880.tif 000008
【図７】
2005196880.tif 000009
【図８】
2005196880.tif 000010
【図９】
2005196880.tif 000011
【図１０】
2005196880.tif 000012
【図１１】
2005196880.tif 000013
【図１２】
2005196880.tif 000014
【図１３】
2005196880.tif 000015
【図１４】
2005196880.tif 000016